(57)【要約】【課題】  従来、肩こり具は孫の手等の硬質の棒の一端に球状の打撃部を設け、凝った肩等を叩き肩こりを緩和させる物が実用に供されてきたが、これは肩等をたたく力の手加減によって調節する物であり、自分で叩く場合はある程度手加減が可能であるが、他者に叩いて貰う場合、手加減によって調節は困難である。  従って、本発明の目的は、肩たたき具そのものに、打撃により筋肉に与える衝撃力が異なる部分を設け、肩こり等の筋肉の凝りの度合いによって、手加減によらなくとも、誰が叩いても打撃による衝撃に緩やかな衝撃と強い衝撃を発生させ、対応可能な肩たたき具を提供しようとするものである。【解決手段】  本発明は、肩たたき部と連接部からなり、前記連接部は、肩等をたたく場合、多々不方向を異ならせることによってたわみ方が異なり、方等身体が受ける衝撃が異なるよう前記連接部の幅方向と厚み方向の距離を違えて形成したことである。【選択図】図１
2008119430.tif 000002
【特許請求の範囲】
【請求項１】
肩その他、人体の筋肉の凝りの部分をたたいて、凝りをほぐす複数の肩たたき部と、前記複数の肩たたき部を連接する連接部からなり、前記連接部は、前記肩たたき部を用いて、肩等をたたく場合、前記連接部の方向を変えることにより、肩その他の筋肉の凝りの部分が受ける衝撃力が異な手段を備えたことを特徴とする肩たたき具。
【発明の詳細な説明】
【技術分野】
【０００１】  本発明は、肩こり等の筋肉の凝りをほぐすための、肩たたき具に関する物である。
【背景技術】
【０００２】  従来、肩たたき具は孫の手等の硬質の棒の一端に球状のたたき部を設け、凝った肩等をたたいて筋肉の凝りをほぐすことによって、肩こりを緩和させる物が古くから実用に供されており、概ね棒状の柄を設けている。【０００３】しかし、これは肩等をたたく場合、たたく力を手加減によって調節する物であり、自分でたたく場合は、痛み等の状況はある程度手加減が可能であるが、他者のにたたいて貰うと場合、たたいている人と、たたく人が異なるため、たたく手加減が分かり難く、筋肉の凝りの度合いによってたたく衝撃が痛みとなって感じるため、手加減による力の調節が難しい等の問題があった。
【発明の開示】
【発明が解決しようとする課題】
【０００５】  従って、本発明が解決しようとする課題は、直接たたく力（手加減）とは別に、誰がたたく場合であっても、い同じ力でたたいても、筋肉に与える衝撃力を、強、弱に使い分け、肩こり等の筋肉の凝りの度合いによって適度な気持ちよい衝撃を与えることが可能な、肩たたき具を提供しようとするものである。
【課題を解決するための手段】
【０００６】  本発明は、肩その他、人体の筋肉の凝りの部分をたたいて、凝りをほぐす肩たたき具であって、複数の肩たたき部と、前記複数の肩たたき部を連接する連接部からなり、前記連接部は、前記肩たたき部を用いて、肩等をたたく場合、前記連接部の方向を変えることにより、前記連接部に歪みが生じ、又は、前記連接部の歪みが生ずることなく、肩その他の筋肉の凝りの部分が受ける衝撃力が異な手段を備えたことである。【０００７】  尚、上記に言う、前記連接部の方向を変えることにより、前記連接部に歪みが生じ、又は、前記連接部の歪みが生ずることなく、肩その他の筋肉の凝りの部分が受ける衝撃力が異な手段を備えたとは、前記連接部の厚み及び幅、及び長さを異ならせることにより、前記連接部に歪みが生じやすく、又は、歪みが生じにくくして衝撃を吸収させ、又は非吸収状態にすることで、前記肩その他の筋肉の凝りの部分が受ける衝撃の力に強弱を生ずるように形成することである。
【発明の効果】
【０００８】  従って、一方の肩叩き部１を握り、他の肩たたき部１で肩や首その他の筋肉の凝りの有る部分をたたくが、この時、連接部２の幅方向を略水平方向に向けて筋肉の凝りの部分を肩たたき部１でたたくと、厚みＸの距離と連接部２の長さＹの距離との関係に於いて、肩たたき部１が肩等に当たった衝撃で連接部２に歪みを生じりから、厚みＸの距離が短く、連接部２の長さＹの距離を長く形成することで、肩たたき部１の衝撃は、この歪みによって吸収され、手加減とは異なる状態（意味）で衝撃が緩和されるため、ソフトな感触の肩たたき感が得られる。【０００９】  又、上記と逆に、連接部２の幅方向を略水垂直向に向けて筋肉の凝りの部分を肩たたき部１でたたくと、幅Ｈの距離と連接部２の長さＹの距離との関係に於いて、幅Ｈの距離長く形成され、連接部２の長さＹの距離との差が縮小されるため、肩たたき部１が肩等に当たった衝撃で連接部２に歪みが生じ難くなり、硬く、強い衝撃のまま、筋肉等の凝りの部分に伝えられるから、たたく衝撃を強弱に使い分けることできる。【００１０】  従って、肩等をたたく力とは別に、筋肉に与える衝撃力が異なり、衝撃（刺激）に変化を持たせ、肩こり等の筋肉の凝りの度合い、例えば、凝りの激しい状態から、激しい凝りの状態まで、誰がたたいても、適度に気持ちよい衝撃を与える肩たたき具を提供することができる。
【発明を実施するための最良の形態】
【００１１】  本発明を実施するための最良の形態を述べれば、略球状の複数の肩たたき部１、１を連接する連接部２によって形成される肩たたき具であって、複数の肩たたき部１、１は手で握り安い大きさが望ましく、筋肉等の凝りの部分を肩たたき部１で叩く場合、一端の肩たたき部１が柄として使用できるよう、握りやすい大きさに形成してある。【００１２】  更に、連接部２を形成するに当たって、厚Ｘみと幅Ｈの距離に差が生じるように形成し、肩たたき部１によって肩等の筋肉の凝った部分をたたいた場合、そのたたく衝撃は、連接部２がたわむ（歪む）事によって、衝撃の一部又は多くを吸収し、柔らかな衝撃に転換して筋肉に伝える役割をする。
又、連接部２の方向を変えて幅Ｈ方向を筋肉等のたたく面に直交する方向にしてたたく場合、連接部２の幅Ｈの距離が長く形成されているため、連接部２の長さＹとの関係で、連接部２たわみ難くなる。
この場合、素材の硬度によって、若干異なるが、たたいた時の衝撃はそのまま筋肉等に伝達されるように形成することが望ましい。
【実施例】
【００１３】  以下、本発明の実施例１について図面に基づいて説明すると図１は、実施例１の肩たたき具を示す斜視図で、スポンジ又は発泡ウレタン等ある程度柔軟な弾性材を用いて、連接部２を介して、握り部にもなる、略球状の複数の肩たたき部１、１を、一体に形成するとよく。
複数の肩たたき部１、１は肩たたき具として使用するに当たって、手で握って叩く作業に適した大きさに形成してあり、複数ある肩たたき部１、１の何れが一方を握って肩等の凝った筋肉部分をたたくことができるように形成してある。【００１４】  又、連接部２を形成するに当たって、肩たたき部１、１との関係は、肩たたき部１の略中心から垂直方向、又は、水平方向に連接部２を設けると良く、連接部２の厚みＸの距離と、幅Ｈの距離が異なるように形成し、厚みＸ方向を略水平方向にして肩たたき部１で肩等の筋肉のこりをたたいた場合、（図２）手３で握った肩たたき部１には上方向から押しつける力が働くに対し、肩等４に当たった肩たたき部１は肩等４に当たるが、この時加わる力に依って連接部２に歪みが生じ、力を吸収するように形成されている。【００１５】  換言すれば、厚みＸの距離と連接部２の長さＹとの関係に於いて、肩たたき部１が肩等４に当たった衝撃が連接部２の歪みを生じる。
従って、厚みＸの距離が短く、連接部２の長さＹの距離を長く形成することで、肩たたきき部１の衝撃は、この歪み（図２）によって吸収されることによって、叩く力が分散され衝撃が緩和されるため、ソフトな感触の肩たたき感が得られるように構成されている。【００１６】  又、上記と逆に、連接部２の幅方向を略水垂直向に向けて筋肉の凝りの部分を肩たたきき部１でたたくと、幅Ｈの距離と連接部２の長さＹの距離との関係に於いて、幅Ｈの距離長く形成され、連接部２の長さＹの距離との差が縮小されるため、肩たたき部１が肩等４に当たった力によっても連接部２に歪みが生じ難く（図３）なり、力の吸収や分散が起こらないため硬く、強い衝撃のまま、筋肉等の凝りの部分に伝えられるように構成されている。【００１７】  従って、本実施例の肩たたき具を使用するには、一方の肩たたき部１を手３で握り、他方の肩たたき部１で肩等４筋肉の凝りの部分を叩く。
この時、凝りにの度合いにより（同一の衝撃を加えた場合、凝りの度合いが増すほど強い痛みを感ずる）、又は、肩たたき部１による叩きの衝撃により筋肉に感ずる痛みの度合いで、連接部２の方向を例えば、図２のように、横方向にして用いた場合、距離の関係により、連接部２はたわみやすくなるため、たわむ作用により、打撃の衝撃が吸収されて筋肉に当たる肩たたき部１の衝撃は和らぎ、ソフトな衝撃で筋肉等の凝りをほぐすことができる。【００１８】  従って、心地よい肩たたき効果を得ることができ、更に、凝りの度合いが軽微になったな場合、連接部２の方向を変え、図３の如く縦方向に変更することにより、連接部２の幅Ｈ距離が伸びるため、長さＹの距離との差が小さくなるため応力が増し、たわみが生じがたくなるり、肩たたき部１による打撃の衝撃は変化することなく筋肉等の凝り部分に伝わり、しっかりとした肩たたき作用が実現できる物で、たたく力の強弱とは別に、同一の力でたたいても、握り方により複数種の衝撃力を筋肉に伝えることができる肩たたき具と提供することができる。
更に、従来の肩たたき具の如く、たたく力によって衝撃に強弱の変化を加えることも可能であることは言うまでもなく、棒状の柄等もないので、携帯時に嵩張ることもなく、例えば鞄等に収納する場合も容易に収納できる。【００１９】  更に、例えば、（図示しないが）この実施例の肩たたき具を袋、又はカバーに挿入し、このカバー等の両端に紐、又は、ベルト等を設け、筋肉の凝りの部分を押圧し、筋肉の凝りをほぐす押圧具として、応用することができるのは言うまでもない。【００２０】  図４は実施例２を示す一部切り欠きの斜視図で、若干の柔軟性を有する素材、例えば、ゴム、又は、可塑性樹脂、ウレタン等ある程度柔軟な素材を用いて複数の肩たたき部１、１とこの肩たたき部１、１を連接する連接部２を一体の中空状に形成することも可能であり、この場合、肩たたき等に必要な重量を確保するに必要な肉厚と硬度であることは言うまでもない。【００２１】  又、上記のある程度柔軟な素材を用いるとの、ある程度柔軟とは、厚みＸの距離と連接部２の長さＹとの関係に於いて、肩たたき部１が肩等に当たった衝撃が連接部２の歪みを生じる程度の硬さであって、厚みＸの距離が短く、連接部２の長さＹの距離を長く形成することで、肩たたき部１の衝撃は、この歪みによって吸収され、衝撃が緩和されるため、ソフトな感触の肩たたき感が得られる柔軟さを言う。
上記の如くであるから、本実施例に於いても実施例１と同様の使用方法により、同様の効果を得ることができると共に、重量の軽量化も可能で携帯にも便利である。
【図面の簡単な説明】
【００２２】
【図１】  本発明の実施例１を示す斜視図である。
【図２】  本発明の実施例１の使用状態の連接部の歪み状態を示す斜視図である。
【図３】  本発明の実施例１の使用状態の連接部の歪みの無い状態を示す斜視図である。
【図４】  本発明の実施例２を示す一部切り欠きの斜視図である。
【符号の説明】
【００２３】１  肩たたき部
２  連接部
３  手
４  肩等
Ｈ  幅
Ｘ  厚み
Ｙ  長さ
【図１】
2008119430.tif 000003
【図２】
2008119430.tif 000004
【図３】
2008119430.tif 000005
【図４】
2008119430.tif 000006